(57)【要約】【課題】互いに係止された後には、工具等を用いても容易に分離することができない第一部材及び第二部材を有する遊技機用部材及び遊技機を提供する。【解決手段】規制ロックピン３１０と移動係合部２１０とからなる遊技機用部材であって、規制ロックピン３１０は、可撓性を有するアーム３２１を備えており、移動係合部２１０に押し込まれるロックピン部３２０と、アーム３２１の撓みを制限または許容するストッパ部３３０と、を備え、規制ロックピン３１０が移動係合部２１０に押し込まれる際には、ストッパ部３３０がアーム３２１の撓みを許容し、アーム３２１がロックピン係止部２１５に係止される位置に達した場合は、ストッパ部３３０がアーム３２１の撓みを制限して、規制ロックピン３１０と移動係合部２１０との分離を困難とする。【選択図】図２４
2020081065.tif 000002
【特許請求の範囲】
【請求項１】
遊技機用基板を封止するために又は遊技機用基板を封止した遊技機用基板ケースを筺体側部材に取り付けるために互いに組み付けられる第一部材と第二部材とからなる遊技機用部材であって、
前記第一部材は、
可撓性を有する可撓係止部を備えており、前記第二部材に押し込まれる装入部と、
前記装入部と結合されており、前記可撓係止部の撓みを制限または許容する制止部と、を備え、
前記第二部材は、前記第一部材が押し込まれた状態において前記可撓係止部が係止される被係止部を備え、
前記第一部材が前記第二部材に押し込まれる際には、前記制止部が前記可撓係止部の撓みを許容し、前記可撓係止部が前記被係止部に係止される位置に達した場合は、前記制止部が前記可撓係止部の撓みを制限して、前記第一部材と前記第二部材との分離を困難とする、ことを特徴とする遊技機用部材。
【請求項２】
前記第二部材は、前記第一部材が押し込まれる被装入部を備え、
前記第一部材が前記第二部材に押し込まれる際には、前記被装入部の内壁は前記可撓係止部が撓むように前記可撓係止部を案内し、
前記可撓係止部の先端が前記内壁よりも先に達した場合は、前記可撓係止部の撓みが解除されて前記可撓係止部が前記被係止部に係止され、
前記可撓係止部が前記被係止部に係止された場合には、前記制止部が前記可撓係止部の撓みを制限する、請求項１記載の遊技機用部材。
【請求項３】
前記可撓係止部の先端には爪部が設けられ、
前記被装入部は、前記内壁に連続して形成されて前記内壁と略垂直である引掛面を備え、
前記引掛面が前記被係止部であり、
前記制止部は、前記可撓係止部に近接して前記可撓係止部の撓みを制限する制止片を備え、
前記第一部材が前記第二部材に押し込まれる際には、前記制止片は前記可撓係止部から離間し、前記爪部が前記内壁に接することにより前記可撓係止部が撓み、
前記爪部が前記引掛面に達した場合は、前記可撓係止部の撓みが解除されて前記爪部が前記引掛面に引っ掛かることで前記可撓係止部が係止され、
前記可撓係止部が係止された場合には、前記制止片が前記可撓係止部に近接して前記可撓係止部の撓みを制限する、請求項２記載の遊技機用部材。
【請求項４】
前記可撓係止部は複数であって、互いに隣接して配置され、
前記制止片が、互いに隣接する前記可撓係止部の間に位置することにより、前記可撓係止部の撓みが制限される、請求項３記載の遊技機用部材。
【請求項５】
請求項１〜４いずれか１つに記載の遊技機用部材を備えた遊技機。
【発明の詳細な説明】
【技術分野】
【０００１】
本発明は、遊技機において用いられる遊技機用部材及び遊技機に関する。
【背景技術】
【０００２】
スロットマシンやパチンコ機等の遊技機は、遊技の進行に係る遊技動作を制御するために、ＣＰＵやＲＯＭ等の半導体素子を含んで構成された電子回路が設けられた制御基板を備えている。この制御基板や、制御基板に取り付けられたＲＯＭ等が偽造品へ交換されてしまうと、例えば、遊技機に特定の操作を行うことで一般の遊技者（当該特定の操作を知らない遊技者）よりも有利な条件で遊技が進行するように遊技機を改造することが可能になる等、悪意のある遊技者（当該特定の操作を知っている遊技者）に不正遊技を許すこととなる。このため、一般的には、制御基板を基板ケースの内部に収容して、基板ケースのカバー及びベースの分離が困難である構成とされる。また、基板ケースは、遊技機筐体に取り付けられたケースホルダに取り付けられるが、取り付けられた後はケースホルダから取りはずすことが困難とされる。
【０００３】
このように、基板ケースのカバー及びベースの分離を困難とするため、あるいは、ケースホルダから基板ケースを取りはずし困難とするために、一方の部材に他方の部材が係合されると、分離することが困難となる構成を有する２つの部材が用いられることがある。このような部材としては、例えば、特許文献１に開示されている。特許文献１には被係合部に４つの係合部が撓みながら挿入され、挿入後に係合部の撓みが解除されて、係合部が被係合部に係止される構成が開示されている（特に、図３５参照）。
【０００４】
また、例えば、特許文献２には、第１、第２カバー部材の案内部により撓むように案内され、案内部の端面にて係止される係止部、及び、係止部が係止された後に係止部に挿入されて、係止部の係止が解除されないように係止部の撓みを制限する封印部材が開示されている（特に、図９参照）。
【先行技術文献】
【特許文献】
【０００５】
【特許文献１】特開２０１８−０６８３５６号公報
【特許文献２】特開２００４−１４４７６０号公報
【発明の概要】
【発明が解決しようとする課題】
【０００６】
しかし、特許文献１に記載された係合部及び被係合部の構成では、係合部が被係合部に係止された状態で係合部を撓ますことができれば、係止を解除できる可能性もあり、特別な工具等を用いることで、係合部及び被係合部が分離される可能性があるとも考えられる。
【０００７】
また、特許文献２に記載された係止部及び封印部材の構成では、封印部材を挿入するための孔を形成する必要があるが、不正行為防止の観点からはこのような孔を形成することは好ましくないとの問題があった。
【０００８】
本発明は、このような問題に鑑みてなされたものであり、その目的は、互いに係止された後には、工具等を用いても容易に分離することができない第一部材及び第二部材を有する遊技機用部材及び遊技機を提供することである。
【課題を解決するための手段】
【０００９】
本発明の一態様に係る遊技機用部材は、
遊技機用基板を封止するために又は遊技機用基板を封止した遊技機用基板ケースを筺体側部材に取り付けるために互いに組み付けられる第一部材と第二部材とからなる遊技機用部材であって、
前記第一部材は、
可撓性を有する可撓係止部を備えており、前記第二部材に押し込まれる装入部と、
前記装入部と結合されており、前記可撓係止部の撓みを制限または許容する制止部と、を備え、
前記第二部材は、前記第一部材が押し込まれた状態において前記可撓係止部が係止される被係止部を備え、
前記第一部材が前記第二部材に押し込まれる際には、前記制止部が前記可撓係止部の撓みを許容し、前記可撓係止部が前記被係止部に係止される位置に達した場合は、前記制止部が前記可撓係止部の撓みを制限して、前記第一部材と前記第二部材との分離を困難とする、ことを特徴とする。
【００１０】
このように、上記遊技機用部材によると、制止部が係止部の撓みを許容することにより第一部材の装入部が第二部材に押し込まれることが可能となり、係止部が第二部材の被係止部に係止される位置に達した場合には係止部が被係止部に係止され、かつ、制止部により係止部が撓むことが制限される。これにより、不正行為者が、被係止部に係止された係止部を工具等により撓ませることにより、係止部と被係止部との係止を解除しようとしても、制止部により係止部が撓むことを制限されるため、係止部と被係止部との係止が解除されることを防止することができ、第一部材と第二部材との分離を防止することができる。
【００１１】
また、上述の遊技機用部材において、
前記第二部材は、前記第一部材が押し込まれる被装入部を備え、
前記第一部材が前記第二部材に押し込まれる際には、前記被装入部の内壁は前記可撓係止部が撓むように前記可撓係止部を案内し、
前記可撓係止部の先端が前記内壁よりも先に達した場合は、前記可撓係止部の撓みが解除されて前記可撓係止部が前記被係止部に係止され、
前記可撓係止部が前記被係止部に係止された場合には、前記制止部が前記可撓係止部の撓みを制限する、こととしてもよい。
【００１２】
これにより、被装入部の内壁により案内されて係止部が撓むことで、係止部が被装入部に押し込まれることが可能となることから、第一部材を円滑に第二部材に押し込むことができる。
【００１３】
また、上述の遊技機用部材において、
前記可撓係止部の先端には爪部が設けられ、
前記被装入部は、前記内壁に連続して形成されて前記内壁と略垂直である引掛面を備え、
前記引掛面が前記被係止部であり、
前記制止部は、前記可撓係止部に近接して前記可撓係止部の撓みを制限する制止片を備え、
前記第一部材が前記第二部材に押し込まれる際には、前記制止片は前記可撓係止部から離間し、前記爪部が前記内壁に接することにより前記可撓係止部が撓み、
前記爪部が前記引掛面に達した場合は、前記可撓係止部の撓みが解除されて前記爪部が前記引掛面に引っ掛かることで前記可撓係止部が係止され、
前記可撓係止部が係止された場合には、前記制止片が前記可撓係止部に近接して前記可撓係止部の撓みを制限する、こととしてもよい。
【００１４】
このような構成であることから、係止部の先端に爪部が設けられることにより、被係止部である引掛面に爪部が確実に引っ掛かることとなり、係止部の係止が確実になされることとなる。また、係止部が係止される前は制止片が係止部から離間して、係止部が撓むことを制限することがなく、係止部が係止された場合には制止片が係止部に近接して係止部の撓みを制限する。これにより、第一部材を円滑に第二部材に押し込むことができるが、係止部が係止された後は、工具等を用いても係止部を撓ませることは困難であり、第一部材と第二部材との分離を防止することができる。
【００１５】
また、上述の遊技機用部材において、
前記可撓係止部は複数であって、互いに隣接して配置され、
前記制止片が、互いに隣接する前記可撓係止部の間に位置することにより、前記可撓係止部の撓みが制限される、こととしてもよい。
【００１６】
これにより、互いに隣接して配置された係止部の間に制止片が位置することで係止部の撓みが制限されることから、簡単な構成により実現できることから、低コストで容易に製造することができる。
【００１７】
また、本発明の一態様に係る遊技機は、上述の遊技機用部材を備えた、ことを特徴とする。
【００１８】
これにより、互いに係止された後には、工具等を用いても容易に分離することができない第一部材及び第二部材を有する遊技機を実現できる。
【図面の簡単な説明】
【００１９】
【図１】本発明の実施形態に係る遊技機の外観構成を示す正面図である。
【図２】本発明の実施形態に係る遊技機の内部構成を示す前扉が開かれた状態の斜視図である。
【図３】本発明の実施形態に係るメイン制御基板ユニットの外観構成を示す斜視図である。
【図４】本発明の実施形態に係る遊技機用基板ケースの取付け構造を説明するためのメイン制御基板ユニットの分解斜視図である。
【図５】本発明の実施形態に係る基板ケース本体の外観構成を示す斜視図である。
【図６】本発明の実施形態に係る基板ケース本体の構成を示す分解斜視図である。
【図７】本発明の実施形態に係るケースホルダに基板ケース本体を取り付ける様子を説明するための図である。
【図８】本発明の実施形態に係るケースホルダに基板ケース本体を取り付けた状態を示す斜視図である。
【図９】本発明の実施形態に係るケースホルダに基板ケース本体を取り付けた状態におけるベース部回動軸周辺の拡大図である。
【図１０】図８の状態からケースホルダに対して基板ケース本体を回動させた状態を示す斜視図である。
【図１１】本発明の実施形態に係る基板ケース本体に保護カバーを取り付ける様子を説明するための図である。
【図１２】本発明の実施形態に係る基板ケース本体に保護カバーを取り付けた状態を示す斜視図である。
【図１３】図１２の状態からケースホルダに対して遊技機用基板ケースを回動させた状態を示す斜視図である。
【図１４】本発明の実施形態に係るカシメピンの外観構成を示す斜視図であり、図１４（ａ）及び図１４（ｂ）は互いに異なる角度で見た斜視図である。
【図１５】図６におけるカシメピン挿入部周辺の拡大図であり、図１５（ａ）は斜視図であり、図１５（ｂ）は前面側から見た図である。
【図１６】本発明の実施形態に係るカシメピン挿入部にカシメピンを挿入する様子を説明するための図である。
【図１７】本発明の実施形態に係るカシメピン挿入部の内側の構成を示す斜視図である。
【図１８】本発明の実施形態に係るカシメピン挿入部にカシメピンを挿入した状態を示す斜視図である。
【図１９】本発明の実施形態に係る一部を切断したカシメピン挿入部にカシメピンを挿入する様子を説明するための図である。
【図２０】本発明の実施形態に係る一部を切断したカシメピン挿入部にカシメピンを挿入した状態を示す斜視図である。
【図２１】本発明の実施形態に係るカシメカバーをケースホルダに取り付ける様子を説明するための図である。
【図２２】本発明の実施形態に係る移動係合部の動作を示す斜視図であり、図２２（ａ）は移動係合部が下方にある場合を示す図であり、図２２（ｂ）は移動係合部が上方にある場合を示す図である。
【図２３】本発明の実施形態に係るカシメカバーの構成を示す図であり、図２３（ａ）は斜視図であり、図２３（ｂ）は正面図であり、図２３（ｃ）は底面図である。
【図２４】本発明の実施形態に係る移動係合部に規制ロックピンを装着する様子を説明するための図であり、図２４（ａ）は装着前の状態を示す図であり、図２４（ｂ）は装着後の状態を示す図である。
【図２５】本発明の実施形態に係る移動係合部の外観構成を示す図であり、図２５（ａ）は斜視図であり、図２５（ｂ）は正面図であり、図２５（ｃ）は底面図である。
【図２６】本発明の実施形態に係る規制ロックピンの外観構成を示す図であり、図２６（ａ）は斜視図であり、図２６（ｂ）は正面図であり、図２６（ｃ）は底面図である。
【図２７】本発明の実施形態に係るロックピン部の外観構成を示す図であり、図２７（ａ）は斜視図であり、図２７（ｂ）は正面図であり、図２７（ｃ）は底面図である。
【図２８】本発明の実施形態に係るストッパ部の外観構成を示す図であり、図２８（ａ）は斜視図であり、図２８（ｂ）は正面図であり、図２８（ｃ）は底面図である。
【図２９】本発明の実施形態に係る移動係合部に規制ロックピンを装入する際のストッパ部の動作を示す底面図であり、図２９（ａ）は装入前の図であり、図２９（ｂ）は装入途中の図であり、図２９（ｃ）は装入後の図である。
【図３０】本発明の実施形態に係る移動係合部に規制ロックピンが装入された状態を説明するための模式図である。
【発明を実施するための形態】
【００２０】
本発明の遊技機用基板ケースの取付け構造、遊技機用部材及び遊技機の実施形態について、図面を参照しながら、具体的に説明する。なお、以下の説明において、本発明の遊技機用基板ケースを回胴式遊技機において採用する場合を例に挙げて説明するが、本発明の遊技機用基板ケースは、パチンコ遊技機等の他の遊技機においても採用することができる。
【００２１】
また、図面においてｘ軸、ｙ軸及びｚ軸を示している場合がある。図面において、ｘ軸は遊技機における左右方向を示し、ｙ軸は遊技機における前後方向を示し、ｚ軸は遊技機における上下方向を示している。具体的には、ｘ軸方向正側を遊技機の正面に向かって「右」側、ｘ軸方向負側を遊技機の正面に向かって「左」側、ｙ軸方向正側を遊技機の「後」側、ｙ軸方向負側を遊技機の「前」側、ｚ軸方向正側を遊技機の「上」側、ｚ軸方向負側を遊技機の「下」側とする。
【００２２】
（遊技機の全体構成の説明）
本発明の実施形態に係る遊技機について図面を用いて説明する。図１は、本発明の実施形態に係る遊技機の外観構成を示す正面図である。また、図２は、本発明の実施形態に係る遊技機の内部構成を示す前扉が開かれた状態の斜視図である。なお、本実施形態に係る遊技機は回胴式の遊技機である。
【００２３】
図１に示すように、遊技機１０は、その前面側に、メダルを投入するためのメダル投入口１１と、メダルを払い出すためのメダル払出口１２と、その外周面に図柄が描かれた３本のリール１３、１４、１５と、映像演出を行うための液晶ディスプレイ１６と、照明演出を行うための発光ランプ（図示省略）と、音声演出を行うためのスピ−カー１７等を備えたものとなっており、操作部として、１遊技当たりの最大枚数（通常３枚）のメダルをベットするためのマックスベットボタン１８と、ベットするメダルを１枚ずつ増加するためのシングルベットボタン１９と、リール１３、１４、１５の回転を開始するためのスタートレバー２０と、リール１３、１４、１５の回転をそれぞれ停止するための３個のストップボタン２１、２２、２３と、演出を切り替えるためのチャンスボタン２４と、クレジットされたメダルを払い戻すための払戻しボタン２５等を有するものとなっている。
【００２４】
この遊技機１０は、メダルのクレジット枚数が所定枚数以上となった状態でスタートレバー２０が操作されると、役抽選が実行されるとともにリール１３、１４、１５が一斉に回転を開始し、ストップボタン２１、２２、２３がそれぞれ操作されると、操作されたストップボタン２１、２２、２３に対応するリール１３、１４、１５の回転が停止し、すべてのリール１３、１４、１５が停止したときにリール窓１０ｂ１の有効ライン上に表示される図柄の組み合わせが役抽選で当選した役に対応したものとなっていた場合（入賞した場合）は、その役に応じた枚数のメダルが払い出される。なお、メダルのクレジット枚数が上限値に達しているときには、ホッパーユニット３６（図２を参照）から送出されたメダルがメダル払出口１２を通じて払い出されるようになっている。つまり、上限値を超えてメダルを投入することができない。一方、メダルのクレジット枚数が上限値に達していない場合は、メダル投入口１１にメダルが投入されるか、又は、入賞によってメダルが払い出された場合にメダルのクレジット枚数が増加するようになっている。
【００２５】
図２に示すように、遊技機１０は、前方が開放された箱状である筺体本体１０ａと、筺体本体１０ａの前面側に開閉可能な状態で取り付けられた前扉１０ｂとで構成された遊技機筺体の内部に各種の機器が収容されたものとなっている。本実施形態において、遊技機筺体の内部には、メイン制御基板ユニット３０、サブ制御基板ユニット３１、液晶ユニット３２、電源ユニット３３、コネクタユニット３４、リールユニット３５及びホッパーユニット３６等が納められている。
【００２６】
メイン制御基板ユニット３０は、役抽選、入賞判定及び遊技動作等、遊技における基本的な制御を行う電子基板（メイン制御基板）を備えている。サブ制御基板ユニット３１は、発光ランプや音声による演出等、遊技における演出に関する制御を行う電子基板（サブ制御基板）を備えている。液晶ユニット３２は、液晶ディスプレイ１６（図１を参照）に表示される映像による演出に関する制御を行う電子基板（映像基板）を備えている。電源ユニット３３は、遊技機１０における各機器に電力を供給する電子基板（電源基板）を備えている。コネクタユニット３４は、特定の機器に接続されたケーブルを仲介する電子基板（仲介基板）を備えている。リールユニット３５は、リール１３、１４、１５の回転をそれぞれ独立して制御する電子基板（リール制御基板）を備えている。ホッパーユニット３６は、メダル投入口１１（図１を参照）に投入されたメダルを回収するとともに、メイン制御基板ユニット３０からの信号に基づいてメダル払出口１２（図１を参照）へメダルを送出する制御を行う電子基板（ホッパー制御基板）を備えている。
【００２７】
これらのユニットに備えられた各種電子基板は、不正アクセスの対象となる。例えば、メイン制御基板ユニット３０に備えられたメイン制御基板には、遊技機１０における基本的な遊技動作を制御するためのプログラムが記録された記憶装置（ＲＯＭ）が搭載されている。この記憶装置を、例えば偽造された偽造記憶装置に交換することによって遊技動作が変更されるとの不正行為が行われることがある。例えば、遊技中に特定の操作を行うと必ず大当たりになるように遊技機１０が動作するように、遊技機１０を不正に制御することが行われている。このため、遊技機１０等の遊技機においては、メイン制御基板を、基板ケースの内部に収容して封止している。これにより、記憶装置を偽造記憶装置に交換することを抑制することができる。また、遊技機１０において、これらの電子基板を透明な基板ケースの内部に収容して、封止する構造としている。
【００２８】
後述する本実施形態に係る遊技機用基板ケースの取付け構造は、特に、メイン制御基板を収容する基板ケース（メイン制御基板ユニット３０を構成する基板ケース）の取付け構造であるが、この遊技機用基板ケースの取付け構造はメイン制御基板以外の基板ケースに用いることもできる。つまり、メイン制御基板ユニット３０以外のユニット３１〜３７を構成する基板ケースにおいても採用することができる。また、基板ケースは、筐体の背板や、筺体本体１０ａの側板、前扉１０ｂ等に対して基板ケースを回動可能な状態で取り付けることによって、基板ケースの正面及び背面が外部に露呈可能な構造とされる。これにより、基板ケースの正面側からだけでなく背面側からも、基板ケースへの不正アクセスの有無を容易に確認することができる。
【００２９】
（遊技機用基板ケースの取付け構造の概略説明）
本発明の遊技機用基板ケースの取付け構造の概略について、図面を用いて説明する。図３は、本発明の実施形態に係るメイン制御基板ユニットの外観構成を示す斜視図である。また、図４は、本発明の実施形態に係る遊技機用基板ケースの取付け構造を説明するためのメイン制御基板ユニットの分解斜視図である。
【００３０】
なお、以下においては、メイン制御基板ユニット３０（図２を参照）の電子基板（メイン制御基板）について説明するが、メイン制御基板以外の電子基板を封止する基板ケースの取付け構造についても同様にしてもよい。例えば、サブ制御基板ユニット３１の電子基板（サブ制御基板）や液晶ユニット３２の電子基板（映像基板）等を収納する基板ケースの取付け構造にも、同様の取付け構造を採用することが可能である。
【００３１】
図３に示すように、メイン制御基板ユニット３０は、ケースホルダ（筐体側部材）２００、遊技機用基板ケース１００及びカシメカバー３００を備えている。また、図４に示すように、メイン制御基板ユニット３０はカシメピン４００も備えており、カシメピン４００はカシメカバー３００により覆われている。また、図４に示すように、遊技機用基板ケース１００は、基板ケース本体１１０及び保護カバー１３０を有し、これらが組み合わされて遊技機用基板ケース１００が構成されている。
【００３２】
遊技機用基板ケース１００を遊技機１０の筺体本体１０ａに取り付ける場合は、まず筐体本体１０ａの内側の背板にケースホルダ２００を取り付け、さらにケースホルダ２００に基板ケース本体１１０を取り付けてから基板ケース本体１１０に保護カバー１３０を取り付けることにより、これらは一体となって遊技機用基板ケース１００を構成する。したがって、基板ケース本体１１０に保護カバー１３０を取り付けることにより、ケースホルダ２００に遊技機用基板ケース１００を取り付けたこととなる。また、ケースホルダ２００に遊技機用基板ケース１００を取り付けた後に、遊技機用基板ケース１００にカシメピン４００を取り付ける。具体的には、基板ケース本体１１０のベース部１１１が有するカシメピン挿入部１１９にカシメピン４００を挿入する（図１６参照）。詳細は後述するが、カシメピン挿入部１１９にカシメピン４００を挿入することにより、ケースホルダ２００から遊技機用基板ケース１００を取りはずすことが困難となる。
【００３３】
カシメピン４００をカシメピン挿入部１１９に挿入した後に、カシメピン４００を覆うように、カシメカバー３００をケースホルダ２００に取り付ける。詳細は後述するが、カシメカバー３００をケースホルダ２００に取り付けることにより、カシメカバー３００のカシメピン支持部３０１（図２３参照）がカシメピン４００の内部に挿入される。そして、カシメカバー３００は、カシメピン４００がカシメピン挿入部１１９から抜けることを抑制する。また、カシメカバー３００をケースホルダ２００に取り付けることにより、カシメカバー３００が備える規制ロックピン（第一部材）３１０は、ケースホルダ２００が備える移動係合部（第二部材）２１０に係合されることとなり、ケースホルダ２００からカシメカバー３００をはずすことが困難となる（図２４参照）。なお、カシメピン４００はカシメピン挿入部１１９に挿入されると抜くことが困難となる。
【００３４】
（基板ケース本体の説明）
本発明の実施形態に係る基板ケース本体１１０について、図面を用いて具体的に説明する。図５は、本発明の実施形態に係る基板ケース本体の外観構成を示す斜視図である。また、図６は、本発明の実施形態に係る基板ケース本体の構成を示す分解斜視図である。
【００３５】
図５に示すように、基板ケース本体１１０は、ベース部１１１及びカバー部１１２が組み合わされて連結され、一体化されて構成されている。また、図６に示すように、ベース部１１０及びカバー部１１２が接合されて構成された基板ケース本体１１０の内部には電子基板（遊技機用基板）１１３が収容されている。つまり、電子基板１１３は、ベース部１１１及びカバー部１１２により覆われている。この電子基板１１３には、役抽選、入賞判定及び遊技動作等、遊技における基本的な制御を行うためのデータが格納されているＲＯＭが搭載されている。
【００３６】
基板ケース本体１１０は、内部に収容される電子基板１１３等に不正な改造等が施されたことを外部から目視できるように、透明な樹脂によって形成されることが好ましい。例えば、基板ケース本体１１０を構成するベース部１１１及びカバー部１１２は、ＡＢＳ樹脂（アクリロニトリル・ブタジエン・スチレン共重合樹脂）やＰＣ（ポリカーボネート）といった熱可塑性樹脂により構成されることとすればよい。また、基板ケース本体１１０を不正に開封しようとした際には基板ケース本体１１０に開封の痕跡が残ることとなるが、基板ケース本体１１０を透明な樹脂によって形成することによりこのような痕跡も目視により容易に確認できる。
【００３７】
また、カバー部１１２には、電子基板１１３に形成されたコネクタ１１６ａ〜１１６ｃを外部に露出するためのコネクタ孔１１５ａ〜１１５ｃが形成されている。コネクタ孔１１５ａ〜１１５ｃからコネクタ１１６ａ〜１１６ｃが露出することにより、電子基板１１３は外部と電気信号を送受信することができる。また、図示はされていないが、カバー部１１２には、ベース部１１１及びカバー部１１２を一体化する際に、ベース部１１１に形成されているガイド溝１１４に嵌まり込むピンが形成されている。なお、ガイド溝１１４は、途中で垂直に曲がる形状（Ｌ字状）である。ガイド溝１１４にこのピンが嵌まり込み、ピンがガイド溝１１４に沿って案内されることにより、ベース部１１１とカバー部１１２とが固定される状態となる。これにより、基板ケース本体１１０においてベース部１１１からカバー部１１２を電子基板３００に対して垂直方向にそのまま分離させようとしても、ベース部１１１及びカバー部１１２は分離困難である。
【００３８】
基板ケース本体１１０においてベース部１１１からカバー部１１２を分離させる場合は、まずベース部１１１に対してカバー部１１２をベース部１１１に沿った方向（電子基板３００に対して平行な方向）にスライドさせてから、ベース部１１１に対してカバー部１１２を、電子基板３００に対して垂直方向に分離させるようにすればよい。
【００３９】
また、ベース部１１１の一方の端面には、ケースホルダ２００により回動自在に支持されるベース部回動軸１１７が設けられている。なお、ベース部回動軸１１７がケースホルダ２００により支持される構造については後述する。また、ベース部１１１の他方の端面には、カシメピン４００が挿入されるカシメピン挿入部１１９が設けられている。カシメピン挿入部１１９はカシメピン４００が挿入される貫通孔である挿入孔１０２（図１５参照）を有し、略円筒状である。カシメピン挿入部１１９はケースホルダ２００の軸載置部２０１（図７参照）に回動自在に載置される。また、このカシメピン挿入部１１９にはケースホルダ２００にネジ止めされるネジ止め部１４０がカシメピン挿入部１１９に対して回動自在に連結されている。具体的には、ネジ止め部１４０はリング１４１と一体となっており、このリング１４１がカシメピン挿入部１１９の外周に、取り外し困難であり、かつ、カシメピン挿入部１１９を回転軸として回転可能となるように嵌まり込むこととなる。これにより、リング１４１と一体であるネジ止め部１４０は、カシメピン挿入部１１９に対して回動自在に連結されることとなる。
【００４０】
また、カバー部１１２の端部において、ベース部１１１及びカバー部１１２を組み合わせた状態においてカシメピン挿入部１１９に対応する位置に切欠き１１８が形成されている。上述したように、カシメピン挿入部１１９にカシメピン４００を挿入した際にカシメピン４００はベース部１１１を貫通し、切欠き１１８に到達する。このように、カシメピン４００がベース部１１１を貫通し、カバー部１１２の切欠き１１８に引っ掛かることにより、ベース部１１１に対してカバー部１１２をベース部１１１に沿った方向にスライドさせることが困難となる。そのため、カシメピン４００がカシメピン挿入部１１９に挿入された状態では、ベース部１１１からカバー部１１２を分離することは困難である。
【００４１】
図６に示すように、基板ケース本体１１０において、ベース部１１１、カバー部１１２及び電子基板１１３は、互いに各ネジ１２０ａ〜１２０ｆにより固定されている。具体的には、まずネジ１２０ｃ〜１２０ｆにより電子基板１１３の４つの角をカバー部１１２に固定する。次に、電子基板１１３が固定されたカバー部１１２にベース部１１１をネジ１２０ａ、１２０ｂにより固定する。これにより、基板ケース本体１１０が構成される。
【００４２】
以上、基板ケース本体１１０の構成について説明したが、基板ケース本体１１０には保護カバー１３０を組み付けることが可能である。詳細は後述するが、保護カバー１３０は基板ケース本体１１０から外部に露呈しているコネクタ１１６ａ〜１１６ｃを覆って、保護するだけでなく、ケースホルダ２００に取り付けられた遊技機用基板ケース１００がケースホルダ２００からはずれないようにするものである。保護カバー１３０は、基板ケース本体１１０をケースホルダ２００に取り付けた後に基板ケース本体１１０に取り付けるものである。
【００４３】
（基板ケース本体の取付け構造についての説明）
基板ケース本体１１０を筺体本体１０ａに取り付ける際は、上述したように、筐体本体１０ａの内側の背板に配置されたケースホルダ２００に基板ケース本体１１０を取り付ける。なお、筺体本体１０ａの背板はｘｙ平面に平行に配置されており、ケースホルダ２００もｘｙ平面に平行に配置されている。このように筺体本体１０ａに配置されたケースホルダ２００に、基板ケース本体１１０を取り付ける。
【００４４】
本発明の実施形態に係る基板ケース本体１１０の取付け構造について、図面を用いて具体的に説明する。図７は、本発明の実施形態に係るケースホルダに基板ケース本体を取り付ける様子を説明するための図である。また、図８は、本発明の実施形態に係るケースホルダに基板ケース本体を取り付けた状態を示す斜視図である。また、図９は、本発明の実施形態に係るケースホルダに基板ケース本体を取り付けた状態におけるベース部回動軸周辺の拡大図である。また、図１０は、図８の状態からケースホルダに対して基板ケース本体を回動させた状態を示す斜視図である。なお、基板ケース本体１１０において、図８に示す位置は保持位置であり、図１０に示す位置は展開位置である。
【００４５】
ケースホルダ２００に基板ケース本体１１０を取り付ける際は、図７に示すように、ケースホルダ２００の前面側から基板ケース本体１１０を取り付ける。ケースホルダ２００は、可変軸受部２２０と、軸載置部２０１とを備えている。可変軸受部２２０はベース部回動軸１１７の外周を覆うように支持し、軸載置部２０１は円弧状の切欠きであり軸載置部２０１上にはカシメピン挿入部１１９が回動自在に載置される。ケースホルダ２００に基板ケース本体１１０を取り付けることにより、図８に示すように、可変軸受部２２０がベース部回動軸１１７の外周を覆うように支持し、円弧状である軸載置部２０１に略円筒状のカシメピン挿入部１１９が嵌まり込むように構成される。これにより、軸載置部２０１の内周部がカシメピン挿入部１１９の外周部と接触しながら、軸載置部２０１の内側においてカシメピン挿入部１１９が回転することが可能である。
【００４６】
上述したように、基板ケース本体１１０には、カシメピン挿入部１１９に対して回動自在なネジ止め部１４０が設けられており、ベース部回動軸１１７が可変軸受部２２０により支持され、ベース部回動軸１１７が軸載置部２０１に支持された後に、ネジ止め部１４０とケースホルダ２００とをネジ１４０ａにより連結することにより、基板ケース本体１１０はケースホルダ２００から容易にはずれることがない。
【００４７】
次に、可変軸受部２２０の構成について説明する。図９に示すように、ベース部回動軸１１７が可変軸受部２２０に支持されているが、可変軸受部２２０はベース部回動軸１１７を下側から支えている軸下部支持部２２１と、ベース部回動軸１１７の上側に位置する軸上部支持部２２２とを備えている。軸上部支持部２２２及び軸下部支持部２２１は上下方向から、ベース部回動軸１１７を挟むように配置されている。また、軸下部支持部２２１及び軸上部支持部２２２のいずれもベース部回動軸１１７の前方側の一部を覆う形状であることから、ベース部回動軸１１７が可変軸受部２２０に支持されている状態で回動させても簡単に可変軸受部２２０からはずれることはない。
【００４８】
また、軸下部支持部２２１は左方向へと伸びる保護カバー用回動軸２２３を有している。保護カバー用回動軸２２３の詳細については後述する。また、軸下部支持部２２１は容易に撓むことがないのに対して、軸上部支持部２２２は可撓性を有し、力を加えることにより上下方向に撓むことが可能である。なお、軸上部支持部２２２の変形は弾性変形であり、軸上部支持部２２２に力を加えることをやめると、元の位置に戻る。軸上部支持部２２２としては、例えばＰＣ（ポリカーボネート）により構成されることとすればよい。つまり、軸上部支持部２２２は普段は略水平方向に伸びる形状であるが、上下方向へは容易に撓むこととなる。また、軸下部支持部２２１及び軸上部支持部２２２間には間隙ｄが形成されており、間隙ｄによりベース部回動軸１１７の一部は露呈している。また、軸上部支持部２２２が撓むことにより、間隙ｄの大きさは可変である。
【００４９】
このように、ベース部回動軸１１７は、上下に配置された軸下部支持部２２１及び軸上部支持部２２２により外周を覆われた状態で支持されているが、軸上部支持部２２２が撓むことから、間隙ｄを広げることが容易であり、可変軸受部２２０からベース部回動軸１１７を容易にはずすことが可能である。また、カシメピン挿入部１１９も固定されておらずたんに載置部２０１上に載置されている状態であるので、カシメピン挿入部１１９も軸載置部２０１から容易にはずすことが可能である。つまり、ネジ１４０ａによりネジ止め部１４０とケースホルダ２００とを連結する前であれば、ケースホルダ２００から基板ケース本体１１０を容易に取りはずすことができる。また、ネジ１４０ａによりネジ止め部１４０とケースホルダ２００とを連結した後であっても、ネジ１４０ａは容易にはずすことができることから、なんらかの理由により基板ケース本体１１０を取りはずす必要がある場合は、容易に基板ケース本体１１０を取りはずすことができる。
【００５０】
また、ネジ１４０ａによりネジ止め部１４０とケースホルダ２００とが連結されていない状態であっても、ベース部回動軸１１７が可変軸受部２２０により回動自在に支持されており、カシメピン挿入部１１９が軸載置部２０１により回動自在に支持されていることから、図１０に示すようにケースホルダ２００に対して基板ケース本体１１０を前方に回動することは可能であり、それによって基板ケース本体１１０が簡単にはずれることはない。ここで、基板ケース本体１１０には下方に向かって重力がかかっているのと、基板ケース本体１１０を回動させる際には多少は前方にも力がかかることとなる。これに対して、撓むことのない軸下部支持部２２１がベース部回動軸１１７の下部及び下側の前部を支持しており、かつ、軸載置部２０１がカシメピン挿入部１１９の下部及び下側の前部を支持している。したがって、基板ケース本体１１０をたんに回動させようとするだけであれば、ネジ１４０ａによりネジ止め部１４０とケースホルダ２００とが連結されていない状態であっても、ケースホルダ２００から基板ケース本体１１０が簡単にはずれることはない。
【００５１】
不正行為を防止する観点からは、基板ケース本体１１０が容易に取りはずしできないことが求められるが、ケースホルダ２００に基板ケース本体１１０を取付けた状態であれば、ネジ１４０ａをはずすことにより容易に基板ケース本体１１０を取りはずすことができる。具体的には、ネジ１４０ａをはずしたうえ軸上部支持部２２２を上方に撓ますようにして間隙ｄを広げて可変軸受部２２０からベース部回動軸１１７をはずすことができる。また、カシメピン挿入部１１９は軸載置部２０１に載置されているだけなので容易に外すことができる。なお、基板ケース本体１１０をケースホルダ２００に取り付ける際は、可変軸受部２２０に対してベース部回動軸１１７を右方向から差し込むようにしてもよいし、軸上部支持部２２２を上方に撓ませて前方から可変軸受部２２０にベース部回動軸１１７を嵌め込んでもよい。
【００５２】
このように、基板ケース本体１１０をケースホルダ２００から容易に外すことができるため、点検や検査等のなんらかの理由により基板ケース本体１１０を取りはずす必要がある場合でも、部材を破損させずに容易にはずすことができる。なお、ネジ１４０ａを付けた状態であっても、上述したようにネジ止め部１４０はカシメピン挿入部１１９に回動自在に取り付けられていることから、図１０に示すように基板ケース本体１１０を前方に回動させることが可能である。
【００５３】
なお、軸下部支持部２２１はケースホルダ２００と一体であることとすればよいが、軸上部支持部２２２はケースホルダ２００と別体とすることが好ましい。つまり、ケースホルダ２００は、例えば、金型を用いて射出成形により作製されるが、この射出成形の際に軸下部支持部２２１についてもケースホルダ２００と一体に作製されることとすればよい。これに対して、軸上部支持部２２２は、ケースホルダ２００と一体で射出成形されずに、ケースホルダ２００とは別に作製することとし、ケースホルダ２００に後付けすることが好ましい。これにより、軸上部支持部２２２については、射出成形により一体で作製された部材とは異なり、撓みやすい材料とすることや、厚みを薄くする等の調整を容易に行うことができる。そのため、所望とする性質を有する軸上部支持部２２２を容易に作製することができる。また、軸上部支持部２２２をケースホルダ２００に後付けする構成とすることで、軸上部支持部２２２を撓ませる際に無理な力がかかって破損した場合等であっても、容易に新たな軸上部支持部２２２をケースホルダ２００に設置することが可能である。
【００５４】
（保護カバーの取付け構造についての説明）
保護カバー１３０を基板ケース本体１１０に取り付ける際は、上述したように、ケースホルダ２００に取り付けられた基板ケース本体１１０に保護カバー１３０を取り付ける。
【００５５】
本発明の実施形態に係る保護カバー１３０の取付け構造について、図面を用いて具体的に説明する。図１１は、本発明の実施形態に係る基板ケース本体に保護カバーを取り付ける様子を説明するための図である。また、図１２は、本発明の実施形態に係る基板ケース本体に保護カバーを取り付けた状態を示す斜視図である。図１３は、図１２の状態からケースホルダに対して遊技機用基板ケースを回動させた状態を示す斜視図である。
【００５６】
保護カバー１３０を基板ケース本体１１０に取り付ける際は、図１１に示すように、基板ケース本体１１０の前面側から保護カバー１３０を取り付ける。保護カバー１３０は、保護カバー軸受部１３１と、コネクタ保護部１３２とを備えている。図１２に示すように、保護カバー軸受部１３１は略円形の貫通孔を備え、可変軸受部２２０に設けられた保護カバー用回動軸２２３と係合される。具体的には、保護カバー軸受部１３１は保護カバー用回動軸２２３の外周を覆うように支持する。したがって、保護カバー１３０を基板ケース本体１１０に取り付ける際は、保護カバー１３０を基板ケース本体１１０に対して左側（ｘ軸方向負側）にずらした状態で基板ケース本体１１０の前面側から保護カバー１３０を近づけて、保護カバー用回動軸２２３の左側から保護カバー軸受部１３１の貫通孔を保護カバー用回動軸２２３に通すようにして取り付ける。なお、保護カバー用回動軸２２３は、ベース部回動軸１１７と略平行に設けられている。コネクタ保護部１３２は、コネクタ１１６ａ、１１６ｂを覆い、これらを外部から保護するものである。また、コネクタ保護部１３２は、コネクタ１１６ａ、１１６ｂに接続される端子が不正行為により付け替えられたり、端子に不正な接続がなされたりすることを抑制することもできる。
【００５７】
上述のように、保護カバー用回動軸２２３が保護カバー軸受部１３１を貫通するように、保護カバー１３０が基板ケース本体１１０に取り付けられる。この際、コネクタ保護部１３２は、コネクタ１１６ａ、１１６ｂを覆うように配置される。保護カバー１３０を基板ケース本体１１０に取り付けた後にネジ１３３により基板ケース本体１１０と保護カバー１３０とを連結すればよい。このように、保護カバー用回動軸２２３が保護カバー軸受部１３１を貫通した状態で、基板ケース本体１１０と保護カバー１３０とが一体となり遊技機用基板ケース１００を構成することから、遊技機用基板ケース１００はケースホルダ２００から容易にはずすことができない。具体的には、遊技機用基板ケース１００を上下方向及び前後方向に移動させることは保護カバー軸受部１３１により制限されている。また、保護カバー軸受部１３１と基板ケース本体１１０の端面とにより軸下部支持部２２１が左右から挟まれる状態となることから、基板ケース本体１１０と保護カバー１３０とが分離しない限り、遊技機用基板ケース１００を左右方向に移動することも制限されている。
【００５８】
したがって、保護カバー１３０を取り付けていない基板ケース本体１１０であれば、ネジ１４０ａをケースホルダ２００からはずしさえすれば、容易にケースホルダ２００からはずすことができたが、保護カバー１３０を基板ケース本体１１０に取り付けることにより、ケースホルダ２００からはずすことが困難となる。また、保護カバー１３０を取り付けることにより、コネクタ１１６ａ、１１６ｂが保護される。
【００５９】
ここで、保護カバー軸受部１３１の内径は保護カバー用回動軸２２３の外径よりも十分大きいことから、図１３に示すように、基板ケース本体１１０と保護カバー１３０とが一体化した遊技機用基板ケース１００についても、ケースホルダ２００に対して前方に回動することができる。つまり、遊技機用基板ケース１００をケースホルダ２００からはずすことが困難ではあるが、ケースホルダ２００に対して前方に回動することができる。遊技機用基板ケース１００をケースホルダ２００に対して前方に回動させることにより、回動前にはケースホルダ２００側であって、外部に露呈されていない遊技機用基板ケース１００の背面が露呈することとなる。これにより、遊技機用基板ケース１００の背面を破損させることにより不正行為が行われていたとしても、容易に認識することができる。
【００６０】
上述したように、保護カバー１３０は、保護カバー軸受部１３１と、コネクタ保護部１３２とを備えている。ここで、保護カバー軸受部１３１は、遊技機用基板ケース１００がケースホルダ２００からはずれることを困難にするためのものである。また、コネクタ保護部１３２はコネクタ１１６ａ、１１６ｂを保護するものである。つまり、保護カバー１３０は、これら複数の機能を有している。このように複数の機能を１つの部材で兼用することができるため、部品点数を減少させることができる。したがって、省スペース化及び低コスト化が可能となる。
【００６１】
（カシメピンの取付け構造についての説明）
カシメピン４００をカシメピン挿入部１１９に挿入して取り付ける際は、上述したように、ケースホルダ２００に取り付けられた遊技機用基板ケース１００のカシメピン挿入部１１９に取り付ける。
【００６２】
本発明の実施形態に係るカシメピン４００の取付け構造について、図面を用いて具体的に説明する。図１４は、本発明の実施形態に係るカシメピンの外観構成を示す斜視図であり、図１４（ａ）及び図１４（ｂ）は互いに異なる角度で見た斜視図である。また、図１５は、図６におけるカシメピン挿入部周辺の拡大図であり、図１５（ａ）は斜視図であり、図１５（ｂ）は前面側から見た図である。また、図１６は、本発明の実施形態に係るカシメピン挿入部にカシメピンを挿入する様子を説明するための図である。また、図１７は、本発明の実施形態に係るカシメピン挿入部の内側の構成を示す斜視図である。また、図１８は、本発明の実施形態に係るカシメピン挿入部にカシメピンを挿入した状態を示す斜視図である。また、図１９は、本発明の実施形態に係る一部を切断したカシメピン挿入部にカシメピンを挿入する様子を説明するための図である。また、図２０は、本発明の実施形態に係る一部を切断したカシメピン挿入部にカシメピンを挿入した状態を示す斜視図である。
【００６３】
まず、カシメピン４００の構成について説明する。カシメピン４００は、上述したようにカシメピン挿入部１１９の挿入孔１０２に挿入されるものである。なお、挿入孔１０２については後述する。ここで、図１４（ａ）及び図１４（ｂ）は、互いに異なる角度でカシメピン４００を見た斜視図である。図１４に示すように、カシメピン４００は、挿入孔１０２に挿入される部分である略円筒状であるカシメピン本体部４０１と、リブ４０２と、カシメピン爪部４０３と、指示遮断板４０４と、矢印部４０５と、を備えている。なお、カシメピン本体部４０１の内部には、空洞部分４０６が形成されており、上述したように、この空洞部分４０６にカシメカバー３００のカシメピン支持部３０１（図２３参照）が挿入される。
【００６４】
リブ４０２は、カシメピン本体部４０１の外周部に設置され、カシメピン挿入部１１９に挿入される方向である軸方向に沿って伸びる形状を有している。なお、カシメピン４００は右側から左側方向へと挿入される。カシメピン爪部４０３はカシメピン本体部４０１の外周部から外側に突出するように、カシメピン本体部４０１の外周部に設置されている。そして、カシメピン本体部４０１には、カシメピン爪部４０３を囲うようにスリット４０７が形成されている。ここで、カシメピン本体部４０１の内部には空洞部分４０６が形成されていることから、スリット４０７で囲まれたカシメピン爪部４０３はカシメピン本体部４０１の内側方向に撓むことが可能である。具体的には、カシメピン爪部４０３は力を加えられると、弾性変形により、カシメピン本体部４０１の内側に撓む。なお、この力が解除されると、カシメピン爪部４０３は元の位置に戻る。リブ４０２及びカシメピン爪部４０３はカシメピン本体部４０１がカシメピン挿入孔１０２に挿入された場合に共に挿入孔１０２に挿入される。なお、カシメピン本体部４０１が挿入孔１０２に挿入される際は、カシメピン爪部４０３は挿入孔１０２の内壁に接触してカシメピン本体部４０１の内側へと撓んだ状態となる。指示遮断板４０４はカシメピン本体部４０１が挿入孔１０２に挿入された場合に、カシメピン挿入部１１９の外周部の一部である指示部１０１（図１６参照）を覆うように配置される。なお、指示遮断板４０４の幅の長さは、距離ｗ１である。また、矢印部４０５は、カシメピン４００を挿入する際の正しい挿入位置を使用者に知らせるためのものである。
【００６５】
次に、カシメピン挿入部１１９の構成について説明する。図１５（ａ）及び図１５（ｂ）に示すように、カシメピン挿入部１１９には、カシメピン４００が挿入される挿入孔１０２が形成されている。また、カシメピン挿入部１１９の外周には、指示部１０１が形成されている。具体的には、指示部１０１には「Ｂ」という文字と、「Ｃ」という文字が形成されている。指示部１０１は、カシメピン挿入部１１９に対してカシメピン４００を挿入する位置を使用者に知らせるものである。詳細は後述するが、カシメピン４００は、矢印部４０５が指示部１０１の「Ｂ」または「Ｃ」に合わせられた状態でカシメピン４００に挿入される。
【００６６】
カシメピン４００をカシメピン挿入部１１９に挿入する際は、図１６に示すように、ケースホルダ２００に遊技機用基板ケース１００が取り付けられた状態で、カシメピン４００が右側からカシメピン挿入部１１９の挿入孔１０２に挿入される。なお、カシメピン４００がカシメピン挿入部１１９に完全に挿入されると、図１８に示すようにカシメピン４００によってネジ止め部１４０及びネジ１４０ａを覆われることとなる。したがって、カシメピン４００がカシメピン挿入部１１９に挿入されると、ネジ１４０ａをはずすことが困難となり、遊技機用基板ケース１００をケースホルダ２００からはずすことが困難となる。
【００６７】
また、カシメピン４００は、挿入孔１０２に挿入されると、カシメピン爪部４０３がカシメピン挿入部１１９のカシメピン係止部１０４（図１７参照）に引っ掛かることとなり、カシメピン挿入部１１９からカシメピン４００を抜くことが困難となる。ただし、本実施形態に係るカシメピン挿入部１１９は、カシメピン係止部１０４を２つ備えており、１つ目のカシメピン係止部１０４を切除することによりカシメピン挿入部１１９からカシメピン４００を抜くことができる。ただし、カシメピン係止部１０４は２つであることからカシメピン４００を２回抜くと、カシメピン挿入部１１９は使用できなくなる。
【００６８】
また、これらの「Ｂ」及び「Ｃ」の文字の上下に厚みが薄い部分である薄肉部１０３が形成されている。薄肉部１０３は、この部分をニッパーやナイフ等の工具により切断することが容易とされる箇所である。後述するが、薄肉部１０３を切断することにより、カシメピン挿入部１１９に挿入したカシメピン４００を抜くことが可能となる。また、「Ｂ」及び「Ｃ」の文字の上下にそれぞれ形成された薄肉部１０３間の距離ｗ２は、指示遮断板４０４の幅の長さである距離ｗ１よりも小さい。詳細は後述するが、このように、距離ｗ２が距離ｗ１よりも小さいことから、薄肉部１０３を指示遮断板４０４により覆うことができ、薄肉部１０３を切断できないようにすることが可能となる。
【００６９】
カシメピン本体部４０１をカシメピン挿入部１１９の挿入孔１０２に挿入する際は、リブ４０２がカシメピン挿入部１１９に形成された溝部１０５に嵌まる方向となるようにしてカシメピン４００を挿入する。溝部１０５は挿入孔１０２の内周部に、カシメピン４００が挿入される方向に沿って形成されている。したがって、リブ４０２が溝部１０５に嵌まる方向でない場合は、カシメピン本体部４０１をカシメピン挿入部１１９に挿入することができない。つまり、カシメピン４００の挿入方向を回転軸とするカシメピン４００の回転方向における位置決めがなされることとなる。なお、カシメピン４００の矢印部４０５がカシメピン挿入部１１９の指示部１０１の「Ｂ」の文字を指すように挿入することにより、リブ４０２が溝部１０５に嵌まるように各部材が配置されている。そして、このようにカシメピン４００が挿入孔１０２に挿入された場合にカシメピン爪部４０３がカシメピン係止部１０４に引っ掛かることとなる。
【００７０】
図１５及び図１７に示すように、挿入孔１０２の内壁には孔１０４ａが形成されており、この孔１０４ａの端部がカシメピン係止部１０４である。なお、カシメピン係止部１０４は、孔１０４ａにおける指示部１０１側の端部に形成されている。カシメピン係止部１０４は２つであり、指示部１０１の「Ｂ」及び「Ｃ」からカシメピン４００が挿入される方向に沿って進んだ位置にそれぞれ形成されている。上述したように、リブ４０２及び溝部１０５により、カシメピン４００の位置決めがなされて、カシメピン爪部４０３がカシメピン係止部１０４に案内される。なお、矢印部４０５が指示部１０１の「Ｂ」の文字を指すように、カシメピン挿入部１１９にカシメピン４００を挿入すると、溝部１０５にリブ４０２が嵌まるように構成されている。このとき、カシメピン爪部４０３は、挿入孔１０２の内壁において指示部１０１の「Ｂ」が記載された裏側の位置を通過することとなる。カシメピン本体部４０１が挿入孔１０２に挿入する際は、上述したように、カシメピン爪部４０３が挿入孔１０２の内壁により押されて、カシメピン本体部４０１の内側へと撓んだ状態で挿入される。そして、カシメピン係止部１０４に到達すると、カシメピン爪部４０３は元の状態に戻ってカシメピン係止部１０４に引っ掛かることとなる。したがって、カシメピン４００をカシメピン挿入部１１９から抜くことが困難となる。
【００７１】
上述したように、カシメピン４００がカシメピン挿入部１１９に挿入されると、図１８に示すように、ネジ止め部１４０にネジ止めされたネジ１４０ａがカシメピン４００により覆われてしまうことから、ネジ１４０ａをはずすことが困難となり、遊技機用基板ケース１００をケースホルダ２００からはずすことが困難となる。さらに、カシメピン４００がカシメピン挿入部１１９に挿入されると、カシメピン本体部４０１の先端はベース部１１１を貫通し、さらにカバー部１１２の切欠き１１８に到達し、切欠き１１８に嵌まることとなる。これにより、ベース部１１１に対してカバー部１１２を分離させるためにスライドをさせることが困難となるため、ベース部１１１及びカバー部１１２を分離させることが困難となる。なお、カシメピン４００を取り付けた状態であっても、ケースホルダ２００に対して遊技機用基板ケース１００を回動させることは可能である。
【００７２】
また、カシメピン４００がカシメピン挿入部１１９に挿入され、抜くことが困難となる状態まで挿入された場合は、指示遮断板４０４が指示部１０１の「Ｃ」の文字を覆うように配置され、指示部１０１の「Ｃ」の文字を視認しにくくする。さらに、上述したように、薄肉部１０３間の距離ｗ２が指示遮断板４０４の幅の長さである距離ｗ１よりも小さいことから、指示部１０１の「Ｃ」の文字だけでなく、その上下に形成された薄肉部１０３も指示遮断板４０４により覆われることとなる。これにより、薄肉部１０３を切断しようとしても、薄肉部１０３が指示遮断板４０４に覆われていることから切断することが困難である。
【００７３】
また、特に、図１６に示されているように、カシメピン挿入部１１９において、指示部１０１の「Ｂ」、「Ｃ」の文字のそれぞれの右側（ｘ軸方向正側）に当たるカシメピン挿入部１１９の縁部分は厚みの薄い部分が形成されており、段差ができた構造となっている。この厚みの薄い部分にニッパー等の工具を差し入れることにより薄肉部１０３を切断することとなる。ここで、図１８に示すように、カシメピン４００がカシメピン挿入部１１９に挿入されて、指示遮断板４０４が指示部１０１の「Ｃ」の文字を覆うように配置された場合は、指示部１０１の「Ｂ」の文字の右側におけるカシメピン挿入部１１９の縁部分の厚みの薄い部分が露呈しており、この部分にニッパー等の工具を差し入れることにより、指示部１０１の「Ｂ」の文字の上下に形成された薄肉部１０３を切断することができる。これに対して、指示部１０１の「Ｃ」の文字の右側におけるカシメピン挿入部１１９の縁部分はカシメピン４００により覆われており、上記厚みの薄い部分が露呈されていない。そのため、指示部１０１の「Ｃ」の文字の上下に形成された薄肉部１０３を切断することは困難である。
【００７４】
上述したように、カシメピン４００をカシメピン挿入部１１９に挿入した場合は、カシメピン爪部４０３がカシメピン係止部１０４に引っ掛かってカシメピン４００を抜くことが困難とされることから、不正行為を抑制することができる。しかし、点検や検査等により正当にカシメピン４００をカシメピン挿入部１１９から抜いて遊技機用基板ケース１００をケースホルダ２００からはずすことが必要となる場合がある。このような場合には、図１８に示す状態において、指示部１０１の「Ｂ」の近傍に設けられた薄肉部１０３をニッパーやナイフ等の工具により切断する。具体的には、「Ｂ」の上下に当たる２箇所の薄肉部１０３を切断することで、指示部１０１の「Ｂ」の部分が切除される。これにより、切除された部分とカシメピン係止部１０４を形成する孔１０４ａとが一体となり、指示部１０１の「Ｂ」に形成されていたカシメピン係止部１０４も除去されることとなる（図１９参照）。カシメピン係止部１０４が除去されることから、カシメピン爪部４０３が引っ掛かる部材がなくなるため、カシメピン４００をカシメピン挿入部１１９から抜くことが可能となる。
【００７５】
なお、誤って指示部１０１の「Ｂ」の部分でなく、指示部１０１の「Ｃ」の部分が切除されると、カシメピン４００を抜くことができないだけでなく、カシメピン４００を抜くために指示部１０１の「Ｂ」の部分をさらに切除する必要があり、カシメピン係止部１０４を両方除去することとなり、結局、カシメピン挿入部１１９を再度使用することができなくなるとの不具合が生じる。しかし、上述したように、指示遮断板４０４により、指示部１０１の「Ｃ」の文字が覆われていることから、指示部１０１の「Ｃ」の文字を視認しにくく、使用者が誤って指示部１０１の「Ｃ」の部分を切除するとの不具合を防止することができる。また、指示部１０１の「Ｃ」の文字だけでなくその上下に形成された薄肉部１０３についても指示遮断板４０４に覆われていることから、薄肉部１０３を切断することが困難である。したがって、仮にカシメピン４００が透明であり、指示部１０１の「Ｃ」の文字が視認できたとしても、薄肉部１０３を切断することが困難であり、誤って「Ｃ」の部分を切除するとの不具合を防止することができる。このように、カシメピン４００をカシメピン挿入部１１９に挿入した場合において、指示部１０１の「Ｂ」からカシメピン４００が挿入される方向に沿って進んだ位置に形成されているカシメピン係止部１０４の除去は容易であるが、指示遮断板４０４によって薄肉部１０３が覆われることから、指示部１０１の「Ｃ」の部分の切除が困難であり、指示部１０１の「Ｃ」からカシメピン４００が挿入される方向に沿って進んだ位置に形成されているカシメピン係止部１０４の除去が困難である。
【００７６】
図１９に示すように、指示部１０１の「Ｂ」の部分を切除したカシメピン挿入部１１９において、指示部１０１の「Ｂ」の部分が切除されることにより、カシメピン係止部１０４を形成していた孔１０４ａがなくなり、カシメピン係止部１０４が除去されて新たに再挿入用溝部１０６が形成されることとなる。カシメピン４００を再度カシメピン挿入部１１９に挿入する場合は、リブ４０２が再挿入用溝部１０６に嵌まるように挿入すればよい。これにより、カシメピン爪部４０３が残っているカシメピン係止部１０４に引っ掛かることとなる。
【００７７】
上述のように、薄肉部１０３を切断して指示部１０１の「Ｂ」の部分を切除することにより、カシメピン４００をカシメピン挿入部１１９から抜いた後、再び、カシメピン挿入部１１９にカシメピン４００を挿入する場合は、図１９に示すように、カシメピン４００の矢印部４０５がカシメピン挿入部１１９の指示部１０１の「Ｃ」の文字を指すように挿入すればよい。矢印部４０５が「Ｃ」の文字を指すように、カシメピン挿入部１１９にカシメピン４００を挿入すると、再挿入用溝部１０６にリブ４０２が嵌まるように各部材が配置されている。このように、カシメピン４００をカシメピン挿入部１１９に挿入することにより、カシメピン爪部４０３が残っているカシメピン係止部１０４に引っ掛かることなり、カシメピン４００を抜くことが困難となる。つまり、リブ４０２及び再挿入用溝部１０６に、カシメピン４００の位置決めがなされて、カシメピン爪部４０３がカシメピン係止部１０４に案内される。
【００７８】
具体的には、矢印部４０５が指示部１０１の「Ｃ」の文字を指すように、カシメピン挿入部１１９にカシメピン４００を挿入すると、再挿入用溝部１０６にリブ４０２が嵌まり、カシメピン４００を挿入でき、カシメピン爪部４０３は、挿入孔１０２の内壁において指示部１０１の「Ｃ」が記載された裏側の位置を通過することとなる。カシメピン本体部４０１が挿入孔１０２に挿入される際は、上述したように、カシメピン爪部４０３が挿入孔１０２の内壁により押されて、カシメピン本体部４０１の内側へと撓んだ状態で挿入される。そして、カシメピン係止部１０４に到達すると、カシメピン爪部４０３は元の状態に戻ってカシメピン係止部１０４に引っ掛かることとなる。これにより、カシメピン４００をカシメピン挿入部１１９から抜くことが困難となる。
【００７９】
以上、説明したように、ケースホルダ２００に取り付けられた状態の遊技機用基板ケース１００にカシメピン４００を取り付けることにより、カシメピン４００によってネジ１４０ａが覆われ、ケースホルダ２００を取りはずすことが困難となる。また、カシメピン４００は、カシメピン挿入部１１９に挿入すると、抜くことは困難である。さらに、点検や検査等の正当な理由で、遊技機用基板ケース１００をはずす必要が生じる場合があるが、その場合はカシメピン挿入部１１９の一部を破損させることにより、カシメピン４００を容易に抜くことができる。この場合であっても部材を交換せずに、再度カシメピン４００をカシメピン挿入部１１９に挿入して、ケースホルダ２００の取りはずしを困難とすることができる。なお、再度カシメピン４００を使用するには、決まった手順を追わなければならないが、カシメピン４００の構造はこの手順を防止することができる構造である。
【００８０】
（カシメカバーの取付け構造についての説明）
上述したように、カシメカバー３００は、カシメピン挿入部１１９に装入されたカシメピン４００を覆うように、ケースホルダ２００の右側からケースホルダ２００に取り付ける。
【００８１】
本発明の実施形態に係るカシメカバー３００の取付け構造について、図面を用いて具体的に説明する。図２１は、本発明の実施形態に係るカシメカバーをケースホルダに取り付ける様子を説明するための図である。また、図２２は、本発明の実施形態に係る移動係合部の動作を示す斜視図であり、図２２（ａ）は移動係合部が下方にある場合を示す図であり、図２２（ｂ）は移動係合部が上方にある場合を示す図である。
【００８２】
図２１に示すように、筺体本体１０ａに取り付けられた状態のケースホルダ２００の右側からカシメピン４００を覆うようにカシメカバー３００を取り付ける。詳細は後述するが、カシメカバー３００を取り付けることにより、カシメカバー３００の内部に設けられた規制ロックピン３１０（図２３参照）が移動係合部２１０に押し込まれて装入されて、連結される。ここで、図２２に示すように、移動係合部２１０は移動可能である。具体的には、ケースホルダ２００に設けられたガイドレール２０２に移動係合部２１０のレール嵌合部２１３（図２５参照）が嵌まり込んで、ガイドレール２０２にガイドされてスライド移動が可能である。具体的には、ケースホルダ２００が筺体本体１０ａに取り付けられた状態において、移動係合部２１０は上下に移動可能である。図２２（ａ）は移動係合部２１０が下方にある場合（移動係合部２１０がカシメピン４００寄りである場合）を示す図であり、図２２（ｂ）は移動係合部２１０が上方にある場合（移動係合部２１０がカシメピン４００から離れている場合）を示す図である。ケースホルダ２００の組み付け時は、図２２（ａ）に示すように、移動係合部２１０は下方に位置している。なお、移動係合部２１０が移動可能とされるのは、装入される規制ロックピン３１０に応じて位置を変更するためである。これにより、カシメカバー３００に２つ備えられた規制ロックピン３１０を選択して使用することができる。
【００８３】
また、図２１に示すように、カシメカバー３００には薄肉部３０２が形成されている。薄肉部３０２は、周りに比べて厚みが薄い部分であり、ニッパーやナイフ等の工具により切断することが容易とされる箇所である。詳細は後述するが、薄肉部３０２を切断することにより、規制ロックピン３１０をカシメカバー３００から切り離すことができる。なお、カシメカバー３００をケースホルダ２００に取り付けることにより、規制ロックピン３１０が移動係合部２１０に装入されて、これらを容易に分離できなくなる。これにより、カシメカバー３００を取りはずすことも困難となる。したがって、カシメカバー３００を取り付けることにより、カシメピン４００を外部から露呈しないように覆うことになり、遊技機用基板ケース１００を取りはずすといった不正行為を抑制することができる。
【００８４】
次に、カシメカバー３００が移動係合部２１０に取り付けられる状態について、図面を用いて説明する。図２３は、本発明の実施形態に係るカシメカバーの構成を示す図であり、図２３（ａ）は斜視図であり、図２３（ｂ）は正面図であり、図２３（ｃ）は底面図である。なお、図２３（ａ）はカシメカバー３００の構成を示す斜視図であり、ケースホルダ２００に取り付けられる際にケースホルダ２００に向かう面を正面としている。図２３（ｂ）は図２３（ａ）における正面図であり、図２３（ｃ）は図２３（ａ）における底面図である。図２３に示すように、カシメカバー３００は、２つの規制ロックピン３１０と、カシメピン支持部３０１と、を備えている。また、規制ロックピン３１０に対応する位置にそれぞれ薄肉部３０２が形成されている。
【００８５】
カシメカバー３００がケースホルダ２００に取り付けられた際に、カシメピン４００のカシメピン本体部４０１の内部に形成された空洞部分４０６に、カシメピン支持部３０１が挿入される。これにより、カシメピン４００がカシメピン支持部３０１により支持される。さらに、空洞部分４０６にカシメピン支持部３０１が存在することとなるため、カシメピン爪部４０３がカシメピン本体部４０１の内側に撓むことが制限されることとなる。したがって、例えば、カシメピン爪部４０３をカシメピン本体部４０１の内側に撓ませることによりカシメピン爪部４０３がカシメピン係止部１０４に引っ掛からないようにして、カシメピン４００を抜こうとする不正行為を防止することができる。また、カシメカバー３００を取り付けたことにより、カシメピン４００がカシメカバー３００により覆われることから、カシメピン４００を抜くことが困難となる。このため、不正行為等により、カシメピン４００を抜こうとしても、カシメカバー３００が取り付けられた状態では、カシメピン支持部３０１によりカシメピン４００を抜くことは困難である。
【００８６】
また、規制ロックピン３１０は、移動係合部２１０に押し込まれて抜くことが困難となるものである。規制ロックピン３１０を移動係合部２１０から抜くことが困難となるため、カシメカバー３００をケースホルダ２００からはずすことが困難となり、不正行為を抑制することができる。なお、移動係合部２１０は移動可能であり、いずれかの規制ロックピン３１０が押し込まれて装入されればよいが、ケースホルダ２００の取付け時には規制ロックピン３１０はカシメピン４００寄りに配置されているので（図２２（ａ）参照）、カシメカバー３００を初めて取り付ける場合は、カシメピン４００寄りの規制ロックピン３１０が移動係合部２１０に押し込まれて装入されることとなる。
【００８７】
また、上述したように、各規制ロックピン３１０に対応するように薄肉部３０２がそれぞれ形成されている。カシメカバー３００をケースホルダ２００に取り付けると、はずすことが困難となるが、点検や検査等により遊技機用基板ケース１００を正当にはずす必要が生じた場合は、カシメカバー３００をはずすこととが必要となる。この場合には、移動係合部２１０に装入されている規制ロックピン３１０に対応する薄肉部３０２を、ニッパーやナイフ等の工具により切断する。初めてカシメカバー３００をはずす場合は、カシメピン４００寄りの規制ロックピン３１０が移動係合部２１０に装入されていることから、カシメピン４００寄りに形成された薄肉部３０２を切断すればよい。これにより、カシメカバー３００から規制ロックピン３１０が切り離されるため、カシメカバー３００を取りはずすことができる。移動係合部２１０に装入されている規制ロックピン３１０については破壊することで取りはずせばよい。
【００８８】
再度、カシメカバー３００を取り付ける場合は、移動係合部２１０を移動させて、残っている規制ロックピン３１０に対応するように、カシメピン４００から離れた位置としておき（図２２（ｂ）参照）、規制ロックピン３１０が移動係合部２１０に装入するようにカシメカバー３００を取り付ければよい。このように、カシメカバー３００によれば、取りはずし困難な状態でカシメピン４００を覆うように、ケースホルダ２００に取り付けることができるため、不正行為を抑制することができる。さらに、正当にカシメカバー３００をはずす場合には、はずした後に再度取り付けが可能であるため、新たなカシメカバー３００を用いる必要がなく、コストを抑えることができる。
【００８９】
次に、移動係合部２１０に規制ロックピン３１０を装入した状態について説明する。図２４は、本発明の実施形態に係る移動係合部に規制ロックピンを装着する様子を説明するための図であり、図２４（ａ）は装入前の状態を示す図であり、図２４（ｂ）は装入後の状態を示す図である。ここで、図２４は、見やすさを考慮して、移動係合部２１０及び規制ロックピン３１０のみを抜き出して示した図である。カシメカバー３００をケースホルダ２００に取り付ける際は、図２４（ａ）に示すように、移動係合部２１０に規制ロックピン３１０が押し込まれて装入される。具体的には、規制ロックピン３１０のロックピン部（装入部）３２０が移動係合部２１０の装入口（被装入部）２１１に押し込まれることとなる。ここで、移動係合部２１０に形成された切込み部２１５ａの端面が、ロックピン部３２０と係合するロックピン係止部（引掛面）２１５となる。したがって、ロックピン係止部２１５は、装入口２１１の内壁に連続して形成されていて、装入口２１１の内壁と略垂直となる。ロックピン部３２０が移動係合部２１０の装入口２１１に押し込まれることにより、図２４（ｂ）に示すように、ロックピン部３２０が装入口２１１を貫通し、装入口２１１においてロックピン部３２０が装入される側とは反対側に形成された切込み部２１５ａの端面であるロックピン係止部２１５にロックピン部３２０が係合することで、移動係合部２１０と規制ロックピン３１０とが分離困難に連結される。
【００９０】
次に、移動係合部２１０の構成について、図面を用いて説明する。図２５は、本発明の実施形態に係る移動係合部の外観構成を示す図であり、図２５（ａ）は斜視図であり、図２５（ｂ）は正面図であり、図２５（ｃ）は底面図である。なお、図２５（ａ）は移動係合部２１０の構成を示す斜視図であり、規制ロックピン３１０が挿入される際に規制ロックピン３１０に向かう面を正面としている。図２５（ｂ）は図２５（ａ）における正面図であり、図２５（ｃ）は図２５（ａ）における底面図である。図２５に示すように、移動係合部２１０は、ロックピン部３２０が押し込まれる装入口２１１と、上述したようにガイドレール２０２に嵌まり込んで移動係合部２１０が移動可能とするためのレール嵌合部２１３と、ガイド部２１２と、くさび部２１４と、を備えている。
【００９１】
上述したように、装入口２１１にはロックピン部３２０と係合し、規制ロックピン３１０を移動係合部２１０から抜くことが困難とするためのロックピン係止部２１５が形成されている。ガイド部２１２は後述する規制ロックピン３１０の制止片３３１の動作をガイドするためのものである。くさび部２１４は後述する規制ロックピン３１０のアーム（可撓係止部）３２１の装入時にはアーム３２１をガイドし、ガイドした後はアーム３２１の変形を制限するためのものであり、規制ロックピン３１０が装入される方向から徐々に広がる形状を有している。また、くさび部２１４は、規制ロックピン３１０の装入方向に向かうにしたがって、徐々に内側に向かうように階段状に形成されている。
【００９２】
次に、規制ロックピン３１０の構成について、図面を用いて説明する。図２６は、本発明の実施形態に係る規制ロックピンの外観構成を示す図であり、図２６（ａ）は斜視図であり、図２６（ｂ）は正面図であり、図２６（ｃ）は底面図である。なお、図２６（ａ）は規制ロックピン３１０の構成を示す斜視図であり、移動係合部２１０に押し込まれる際に移動係合部２１０に向かう面を正面としている。図２６（ｂ）は図２６（ａ）における正面図であり、図２６（ｃ）は図２６（ａ）における底面図である。図２６に示すように、規制ロックピン３１０は、ロックピン部３２０と、ストッパ部（制止部）３３０と、を備えている。
【００９３】
また、図２７は、本発明の実施形態に係るロックピン部の外観構成を示す図であり、図２７（ａ）は斜視図であり、図２７（ｂ）は正面図であり、図２７（ｃ）は底面図である。なお、図２７（ａ）はロックピン部３２０の構成を示す斜視図であり、移動係合部２１０に規制ロックピン３１０が押し込まれる際に移動係合部２１０に向かう面を正面としている。図２７（ｂ）は図２７（ａ）における正面図であり、図２７（ｃ）は図２７（ａ）における底面図である。図２７に示すように、ロックピン部３２０は、装入口２１１に押し込まれて装入されるアーム３２１と、アーム３２１の先端に形成されたロックピン爪部（爪部）３２２と、を備えている。アーム３２１は４つで構成されており、縦方向及び横方向に２つずつ並んで構成されている。アーム３２１は可撓性を有し、弾性変形が可能である。アーム３２１が装入口２１１の一端から押し込まれることにより、装入口２１１の内壁によりロックピン爪部３２２がガイドされて、アーム３２１が横方向において内側に集まるように撓んで変形しながら装入口２１１内に装入される。また、横方向において内側に集まったアーム３２１は、くさび部２１４の階段状部分によりガイドされて、縦方向において内側に集まるように撓んで変形する。
【００９４】
このように、ロックピン爪部３２２は、装入口２１１内に装入されて装入口２１１内を通過中は装入口２１１の内壁により横方向において内側に集まるようにガイドされる。さらに、アーム３２１は、装入口２１１内を通過中においてくさび部２１４により縦方向において内側に集まるようにガイドされることから、ロックピン爪部３２２は縦方向においても内側に集まることとなる。しかし、ロックピン爪部３２２が、切込み部２１５ａに達した場合は、ロックピン爪部３２２が装入口２１１の内壁から解放されて、再び横方向において外側に開くこととなる。また、ロックピン爪部３２２が横方向において外側に開くことにより、アーム３２１がくさび部２１４から解放されて、再び縦方向において外側に開くこととなる。これにより、ロックピン爪部３２２がロックピン係止部２１５に係合して引っ掛かることとなり、規制ロックピン３１０は移動係合部２１０から抜くことが困難となる。ただし、普段は、図２６に示すように、縦方向に並んだアーム３２１間には制止片３３１が存在しており、アーム３２１が撓んで縦方向に互いに接近する変形は困難である。
【００９５】
また、図２８は、本発明の実施形態に係るストッパ部の外観構成を示す図であり、図２８（ａ）は斜視図であり、図２８（ｂ）は正面図であり、図２８（ｃ）は底面図である。なお、図２８（ａ）は、ストッパ部３３０の構成を示す斜視図であり、移動係合部２１０に規制ロックピン３１０が押し込まれる際に移動係合部２１０に向かう面を正面としている。図２８（ｂ）は図２８（ａ）における正面図であり、図２８（ｃ）は図２８（ａ）における底面図である。図２８に示すように、ストッパ部３３０は、ガイド部２１２と係合しガイドされる２つの被ガイド部３３２と、被ガイド部３３２と一体であり、それぞれ被ガイド部３３２と一体で動作する２つの制止片３３１と、を備えている。ここで、ストッパ部３３０は可撓性を有し、弾性変形が可能である。これにより、被ガイド部３３２は、互いに離れる方向への動作が可能である。また、同様に制止片３３１も、互いに離れる方向への動作が可能である。
【００９６】
次に、移動係合部２１０に規制ロックピン３１０を押し込んで装入する際の、ストッパ部３３０の動作について、図面を用いて説明する。図２９は、本発明の実施形態に係る移動係合部に規制ロックピンを装入する際のストッパ部の動作を示す底面図であり、図２９（ａ）は装入前の図であり、図２９（ｂ）は装入途中の図であり、図２９（ｃ）は装入後の図である。ここで、図２９は、見やすさを考慮して、移動係合部２１０及びストッパ部３３０のみを抜き出して示した図である。
【００９７】
図２９（ａ）に示すように、移動係合部２１０に規制ロックピン３１０を装入する前は、ストッパ部３３０の形状は変化しておらず、制止片３３１はアーム３２１に近接しており、縦方向に並んだアーム３２１間に存在している。装入時においてストッパ部３３０の被ガイド部３３２がガイド部２１２に当接する。被ガイド部３３２のガイド部２１２に当接する面は、ガイド部２１２に対して斜めに形成されており、規制ロックピン３１０を押し込んでいくにしたがって、被ガイド部３３２はガイド部２１２にガイドされて徐々に互いに離れるように動作し、互いの間隔が広がっていく。この際に、被ガイド部３３２と一体である制止片３３１も互いに離れるように動作し、互いの間隔が広がっていく。これにより、装入前において縦方向に並んだアーム３２１間に存在していた制止片３３１は（図２５参照）、アーム３２１間から移動し、アーム３２１から離間することとなる。そのため、アーム３２１は制止片３３１による制限から解放され、縦方向に対して自由に変形することが可能となる。このため、上述したように装入口２１１の内壁によりロックピン爪部３２２がガイドされることにより、アーム３２１は横方向において内側に集まるように変形し、アーム３２１が横方向において内側に集まることにより、アーム３２１がくさび部２１４により縦方向において内側に集まることが可能となり、装入口２１１の内部に装入される。
【００９８】
さらに、規制ロックピン３１０が押し込まれて、ロックピン爪部３２２が、切込み部２１５ａに達した場合は、ロックピン爪部３２２は装入口２１１の内壁から解放されて、再び横方向において外側に開くこととなる。また、ロックピン爪部３２２が横方向において外側に開くことにより、アーム３２１がくさび部２１４から解放されて、再び縦方向において外側に開くこととなる。この状態において、図２９（ｃ）に示すように、被ガイド部３３２はガイド部２１２からはずれることとなり、再び元の位置に戻る。制止片３３１も被ガイド部３３２と一体であることから、再び元の位置に戻ってアーム３２１間に存在することとなり、アーム３２１の縦方向への変形が制限されることとなる。また、アーム３２１がくさび部２１４から解放されて再び縦方向において外側に開いた際に、横方向に並んだアーム３２１間にくさび部２１４が存在することとなり、アーム３２１の横方向への変形も制限されることとなる。したがって、移動係合部２１０に規制ロックピン３１０を押し込んで装入し、ロックピン爪部３２２がロックピン係止部２１５に引っ掛かった状態において、アーム３２１の変形が困難となり、ロックピン爪部３２２がロックピン係止部２１５に引っ掛かった状態を解除することが困難となる。さらに、上述したように、横方向に並んだアーム３２１間にはくさび部２１４が存在することとなり、アーム３２１は横方向への変形も困難となるため、ロックピン爪部３２２がロックピン係止部２１５に引っ掛かった状態を解除することが困難となる。
【００９９】
図３０は、本発明の実施形態に係る移動係合部に規制ロックピンが装入された状態を説明するための模式図である。図３０に示すように、移動係合部２１０に規制ロックピン３１０が挿入されると、ロックピン爪部３２２がロックピン係止部２１５に引掛り、かつ、ロックピン爪部３２２の変形が装入口２１１の内壁、くさび部２１４及び制止片３３１によりアーム３２１の変形が困難となり、移動係合部２１０から規制ロックピン３１０を抜くことが、より困難となる。
【０１００】
以上、説明したように、カシメピン４００が取り付けられた状態のケースホルダ２００にカシメカバー３００を取り付けることにより、カシメカバー３００によってカシメピン４００が覆われて、カシメピン４００を抜くことが困難となる。また、カシメカバー３００は、ケースホルダ２００に取り付けると、はずすことは困難である。さらに、点検や検査等の正当な理由で、遊技機用基板ケース１００をはずす必要が生じる場合があるが、その場合はカシメカバー３００の一部を破損させることにより、カシメカバー３００を容易にはずすことができる。この場合であっても部材を交換せずに、移動係合部２１０を移動させるだけで、再度カシメカバー３００をケースホルダ２００に取り付けて、カシメピン４００を取りはずし困難とすることができる。
【０１０１】
以上、説明したように、メイン制御基板ユニット３０において、ケースホルダ２００をはずしたり、ケースホルダ２００を分解して電子基板１１３を取り出したりすることは困難である。したがって、不正行為により、ケースホルダ２００をはずしたり、ケースホルダ２００を開放して電子基板１１３を取り出したりしようとする場合は、これらの部材を破損することとなるため、不正行為が行われたことを視覚により容易に認識できる。これにより、不正行為が抑制される。また、メイン制御基板ユニット３０において、カシメカバー３００を取り付けた状態であっても、ケースホルダ２００に対して遊技機用基板ケース１００を回動させて遊技機用基板ケース１００の背面側（回動前はケースホルダ２００に接している側）を露呈させることも可能であることから、遊技機用基板ケース１００の背面を破損して不正行為を行っても、容易に認識される。
【０１０２】
また、このようなメイン制御基板ユニット３０を有する遊技機１０によれば、不正行為が行われた場合にそれを容易に発見することができ、不正行為の実施を抑制することができる。
【０１０３】
本発明は、以上説明した実施の形態に限定されるものではなく、他のいろいろな形で実施することができる。そのため、かかる実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【０１０４】
１００  遊技機用基板ケース      １１３  電子基板
２００  ケースホルダ            ２１０  移動係合部
２１１  装入口                  ２１５  ロックピン係止部
３１０  規制ロックピン          ３２０  ロックピン部
３２１  アーム                  ３２２  ロックピン爪部
３３０  ストッパ部              ３３１  制止片
【図１】
2020081065.tif 000003
【図２】
2020081065.tif 000004
【図３】
2020081065.tif 000005
【図４】
2020081065.tif 000006
【図５】
2020081065.tif 000007
【図６】
2020081065.tif 000008
【図７】
2020081065.tif 000009
【図８】
2020081065.tif 000010
【図９】
2020081065.tif 000011
【図１０】
2020081065.tif 000012
【図１１】
2020081065.tif 000013
【図１２】
2020081065.tif 000014
【図１３】
2020081065.tif 000015
【図１４】
2020081065.tif 000016
【図１５】
2020081065.tif 000017
【図１６】
2020081065.tif 000018
【図１７】
2020081065.tif 000019
【図１８】
2020081065.tif 000020
【図１９】
2020081065.tif 000021
【図２０】
2020081065.tif 000022
【図２１】
2020081065.tif 000023
【図２２】
2020081065.tif 000024
【図２３】
2020081065.tif 000025
【図２４】
2020081065.tif 000026
【図２５】
2020081065.tif 000027
【図２６】
2020081065.tif 000028
【図２７】
2020081065.tif 000029
【図２８】
2020081065.tif 000030
【図２９】
2020081065.tif 000031
【図３０】
2020081065.tif 000032